(57)【要約】【課題】液体現像剤を用いる湿式画像形成装置において、溶媒除去のためのエア吹きつけによる画像の乱れを抑えるとともに乾燥による溶媒除去のために加熱されたトナー画像のフィルム化を防止する。【解決手段】本発明の湿式画像形成装置は、感光体および感光体上に形成されたトナー像中のトナー粒子を、そのガラス転移温度以上に加熱するヒータ（第１乾燥部）５−１２と、その近傍に所定の風量の風を供給して感光体の温度が不所望に上昇することを抑止し、さらにキャリア液蒸気を回収部６に移動させるノズル（第１乾燥部）５−１１と、トナー粒子に、そのガラス転移温度以下の温度の風を供給するとともに、キャリア液蒸気を回収部６に移動させる案内するノズル（第２乾燥部）５−２１と、を有し、トナー像に含まれるキャリア液の量を、シアリング転写に適した乾燥率に、除去可能である。【選択図】図２
2005099508.tif 000002
【特許請求の範囲】
【請求項１】
像担持体表面に形成された静電潜像を、キャリア液中にトナー粒子を分散させた液体トナーによって現像し、トナー像を形成する現像工程と、
前記トナー像を、前記トナー粒子のガラス転移温度以上の温度で、前記トナー粒子が相互に融着状態になる時間よりも短い時間乾燥させる第１の乾燥工程と、
前記第１の乾燥工程の後に、前記トナー像を、前記トナー粒子のガラス転移温度未満の温度で乾燥する第２の乾燥工程と、
前記第２の乾燥工程の後に、前記トナー像を記録媒体へ転写する転写工程とを有することを特徴とする画像形成方法。
【請求項２】
像担持体表面に形成された静電潜像を、キャリア液中にトナー粒子を分散させた液体トナーによって現像し、トナー像を形成する現像工程と、
前記トナー像を乾燥率が２５ｗｔ％以上、７０ｗｔ％以下の範囲内になるまで加熱して乾燥する第１の乾燥工程と、
前記第１の乾燥工程の後に、前記第１乾燥工程よりも低温で前記トナーを乾燥率が７５ｗｔ％以上、１００ｗｔ％以下の範囲内になるまで乾燥させる第２の乾燥工程と、
前記乾燥工程により乾燥された前記トナー像を記録媒体へ転写する転写工程とを含むことを特徴とする画像形成方法。
【請求項３】
前記第１の乾燥工程は、加熱ヒータと低速風を吹きつけ可能なエアノズルとにより、ヒータと像担持体表面との間隙に向かって、トナー粒子のガラス転移温度よりも高温の低速風を吹き込むことを特徴とする請求項２記載の画像形成方法。
【請求項４】
前記第１の乾燥工程は、トナー粒子のガラス転移温度よりも高温の低速風を、像担持体およびトナー像に吹きつけることを特徴とする請求項２記載の画像形成方法。
【請求項５】
前記第２の乾燥工程は、トナー粒子のガラス転移温度以下の温度の高速風を、像担持体およびトナー像に吹きつけることを特徴とする請求項２記載の画像形成方法。
【請求項６】
像担持体により保持されている静電像に、キャリア液中にトナー粒子を分散させた液体現像剤を接触させて現像する現像器と、
前記像担持体を、前記トナー粒子のガラス転移温度以上に加熱可能な加熱装置と、
前記加熱装置の近傍に所定風量の風を供給して、前記加熱装置からの熱により気化した前記キャリア液の蒸気を除去する第１の送風装置と、
前記担持体上に残存する前記キャリア液に、前記トナー粒子のガラス転移温度以下の温度の風を供給して、残存する前記キャリア液を蒸発させる第２の送風装置と、
を含むことを特徴とする電子写真装置。
【発明の詳細な説明】
【技術分野】
【０００１】
この発明は、液体現像剤を用いた画像形成装置に関する。
【背景技術】
【０００２】
液体現像剤を用いた電子写真記録方法や静電記録方法は、乾式では実現できない利点を有しており、近年その価値が見直されつつある。
【０００３】
特に、微細なトナーを溶媒に分散させた液体トナー（現像剤）を用いたイメージ−オン−イメージ（Image-On-Image，以下ＩＯＩと略称する）カラー電子写真プロセスは、サブミクロンサイズの極めて微細なトナーを用いることで高画質を実現できること、少量のトナーで十分な画像濃度が得られるため経済的であるうえにオフセット印刷並みの質感を実現できること、比較的低温でトナーを用紙に定着できるため省エネルギーを実現できることなどの利点で、乾式電子写真プロセスより安いランニングコストと、印刷並みの画質のカラー記録が期待される。
【０００４】
液体トナーを用いた電子写真プロセスでは、現像直後の感光体上のトナー画像は、多量の余剰現像液を含むことから、用紙へのトナー画像の転写の前に乾燥工程を設けて、余剰現像液を除去しなければならない。また、従来の液体トナー電子写真プロセスでは、画像内に相当量の溶媒が残存し、かつトナーが電荷を帯びた状態で、電界によりトナー画像を用紙に転写する電界転写であるため、用紙に移送される過剰の溶媒により、転写時の画像が安定しにくいことが知られている。なお、用紙に移送された過剰の溶媒を回収して循環（再利用）するとともに溶媒が外部に排出されることを防止でき、しかも用紙に含まれる溶媒の量を所定量以下にすることが必要である。
【０００５】
しかしながら、溶媒の量が所定量以下となるようトナー画像を乾燥させた場合、乾燥が進んだ状態では、トナー粒子の媒体への付着力が大きいために電界力を使う電界転写は、困難である。
【０００６】
このため、中間転写体を用い、感光体から中間転写体への一次転写と、中間転写体から用紙への二次転写とにおいて、材料の付着力を利用するオフセット転写が有利となる。
【０００７】
溶媒を除去する方法として、感光体に近接もしくは接触させて配置したスクイズローラやブレードで可視像上の余剰現像液の一部を除去した後、残りの現像液を空気の吹きつけで乾燥させる方法が提案されている（例えば特許文献１）。
【０００８】
溶媒を除去する方法を用いる類似例として、感光体に近接もしくは接触させて配置したスクイズローラやブレードで可視像上の余剰現像液の一部を除去した後、残りの現像液を空気の吹きつけで乾燥させる方法が提案されている（例えば特許文献２）。
【０００９】
なお、高速エアを吹きつける方法以外の溶媒除去手段として、加熱装置（ヒーティング手段）を備え、高温のエアを吹きつける方法が提案されている（例えば特許文献３）。
【特許文献１】米国特許第４，２５９，００６号公報
【特許文献２】特公平４−４６４２６号公報
【特許文献３】特開２００２−９１１７３号公報
【発明の開示】
【発明が解決しようとする課題】
【００１０】
特許文献１および特許文献２に記載された提案では、トナー画像および感光体上に過剰に存在する溶媒を高速で除去するため、大容量で高速のエアをトナー画像および感光体に吹きつけている。しかしながら、トナー画像および感光体上に相当量の余剰液が存在している状態で大容量の高速エアを直接トナー画像および感光体上に吹きつけることにより、画像が乱れ、画質が維持できない問題がある。なお、用紙に付着した溶媒が用紙を介して外部に排出される問題がある。
【００１１】
また、特許文献１におけるエアの吹き出し口は、感光体の法線方向から前段のスクイズローラ側に４５度の角度で配置され、浮遊トナーを含んだ大量の余剰液がスクイズローラ側に逆流し、現像・スクイズ工程のみならず、装置を汚染する問題もある。
【００１２】
一方、特許文献２におけるエアの吹き出し口は、感光体の法線方向に、ほぼ垂直に配置されていて、文献１と同様、浮遊トナーを含んだ大量の余剰液がスクイズローラ側に逆流し、現像・スクイズ工程のみならず、装置を汚染する問題もある。
【００１３】
特許文献３に記載された提案では、送風ダクトからマニュホールド内に風を送り、ヒーティング手段で加熱し、吸入ダクトから溶媒蒸気を含んだ風を吸入している。なお、文献３では、トナー画像に直接風が吹きつけられることがなく、しかも高温環境下で溶媒の気化を促進させるため、画像の乱れが抑えられ、安定した画質の画像を得ることができる。
【００１４】
しかしながら、特許文献３においては、トナー画像はマニュホールド内で常に１００℃の温風にさらされているため溶媒の蒸発が進みすぎ、画像を覆う余剰現像液が存在しなくなった時点でトナー画像を構成するトナー粒子の温度が急激に上昇して、画像がフィルム化し、感光体表面に固着してオフセット転写不可となる問題がある。
【００１５】
この発明の目的は、溶媒除去のためのエア吹きつけによる画像の乱れを抑えるとともに乾燥による溶媒除去のために加熱されたトナー画像のフィルム化を防ぎ、しかも電界転写とは異なる（オフセット）転写に適した乾燥状態を、高速で確保可能な乾燥機構を有した湿式画像形成装置を提供することである。
【課題を解決するための手段】
【００１６】
この発明は、像担持体表面に形成された静電潜像を、キャリア液中にトナー粒子を分散させた液体トナーによって現像し、トナー像を形成する現像工程と、前記トナー像を、前記トナー粒子のガラス転移温度以上の温度で、前記トナー粒子が相互に融着状態になる時間よりも短い時間乾燥させる第１の乾燥工程と、前記第１の乾燥工程の後に、前記トナー像を、前記トナー粒子のガラス転移温度未満の温度で乾燥する第２の乾燥工程と、前記第２の乾燥工程の後に、前記トナー像を記録媒体へ転写する転写工程とを有することを特徴とする画像形成方法である。
【００１７】
またこの発明は、像担持体表面に形成された静電潜像を、キャリア液中にトナー粒子を分散させた液体トナーによって現像し、トナー像を形成する現像工程と、前記トナー像を乾燥率が２５ｗｔ％以上、７０ｗｔ％以下の範囲内になるまで加熱して乾燥する第１の乾燥工程と、前記第１の乾燥工程の後に、前記第１乾燥工程よりも低温で前記トナーを乾燥率が７５ｗｔ％以上、１００ｗｔ％以下の範囲内になるまで乾燥させる第２の乾燥工程と、前記乾燥工程により乾燥された前記トナー像を記録媒体へ転写する転写工程とを含むことを特徴とする画像形成方法である。
【００１８】
さらにこの発明は、像担持体により保持されている静電像に、キャリア液中にトナー粒子を分散させた液体現像剤を接触させて現像する現像器と、前記像担持体を、前記トナー粒子のガラス転移温度以上に加熱可能な加熱装置と、前記加熱装置の近傍に所定風量の風を供給して、前記加熱装置からの熱により気化した前記キャリア液の蒸気を除去する第１の送風装置と、前記担持体上に残存する前記キャリア液に、前記トナー粒子のガラス転移温度以下の温度の風を供給して、残存する前記キャリア液を蒸発させる第２の送風装置と、を含むことを特徴とする電子写真装置である。
【発明の効果】
【００１９】
本発明の湿式画像形成装置によれば、感光体（感光層）上やトナー画像中に含まれる溶媒（キャリア液）を、トナー画像の乱れを生じさせず、しかもトナー画像がシアリング転写不能となるフィルム化も防止可能なシアリング転写に適した乾燥率まで、高速で除去（乾燥）でき、高画質の画像を安定して、高速度で出力可能となる。
【発明を実施するための最良の形態】
【００２０】
以下、図面を参照して、この発明の実施の形態について詳細に説明する。
【００２１】
我々は、液体現像剤を用いて形成した画像を転写対象に転写したのち、転写対象からの溶媒除去のためのエア吹きつけによる画像の乱れを抑えるとともにトナー画像のフィルム化を防ぎ、しかも電界転写とは異なる主にゴムの弾性力と摩擦力の作用を使う方法であるシアリング転写を開発し、良好な転写を実現した。
【００２２】
図１に、我々が開発したＩＯＩカラー電子写真プロセスの概略図を示す。
【００２３】
像担持体すなわち感光体ドラム（潜像保持体）１の周囲には、減法混色に従う任意の色成分ごとに、帯電、露光、現像で構成されるＹ（Yellow、すなわち黄色）、Ｍ（Magenta、すなわち深紅）、Ｃ（Cyan、すなわち青紫）および黒を補強するためと黒一色の画像の形成に利用されるＫ（Kuro）の４色の画像形成ユニット（少なくとも帯電器２と現像器４のそれぞれを含む、識別のために、１色毎に添え字「−１」〜「−４」を付記する）２−１および４−１、２−２および４−２、２−３および４−３、ならびに２−４および４−４、が並んでいる。なお、各画像形成ユニットにおいて、帯電器２と現像器４との間に、任意の方法により感光体ドラム１に静電潜像を形成する画像光、例えばレーザ光３−１〜３−４が照射される。すなわち、レーザ露光により、感光体ドラム１の各画像形成ユニットの現像器４の上流側に、静電潜像が形成される。
【００２４】
感光体ドラム１は、例えば円筒（ドラム）状の導電性基体の上に、有機系またはアモルファスシリコン系等の感光層を設けたもので、図示しないモータ等により、外周面の軸線と平行に定義される任意の一点が所定の移動速度（以下ドラム周速と呼称する）で移動される。なお、詳述しないが、感光体ドラム１に代えて、円筒状の支持体に感光層が形成された導電性フィルムを巻き付けてドラム状としても良い。また、導電性フィルムをベルト状としても良い。
【００２５】
帯電器２（２−１〜２−４）は、詳述しないが、例えば、周知のコロナ帯電器もしくはスコロトロン帯電器である。
【００２６】
現像器４（４−１〜４−４）は、詳述しないが、現像ローラを含み、周知の石油系絶縁性溶媒などのキャリア液（例えば商品名アイソパーＬ、エクソン社製）に、任意の色に着色された樹脂粒子であるトナーが分散された液体現像剤（液体トナー）を用いる湿式現像器である。なお、トナーに用いる樹脂粒子は、ガラス転移点が４５℃の熱可塑性樹脂に、顔料などの着色剤と帯電制御剤を添加して、例えば重合法により平均粒径が０．６μｍ程度の概ね球形としている。
【００２７】
感光体ドラム１が回転される方向に関し、第４の画像形成ユニット（ここでは、現像器４−４）の下流の所定位置には、図２他を用いて後段に詳述するが、感光体ドラム１上で積層された状態である４色のトナー画像を乾燥させる乾燥機構５と乾燥機構５により発生する溶媒蒸気を回収する溶媒回収部６が設けられており、感光体ドラム１上のトナー画像は、溶媒の残存量が所定の量になるまで乾燥された後、一次転写（中間転写）ローラ７に一旦転写され、引き続いて二次転写ローラ８と一次転写ローラ７との間に供給される用紙（記録媒体）９に転写される。
【００２８】
なお、一次転写ローラ７は、例えば外径１００ｍｍに形成されたステンレス鋼製の中空ローラの表面に弾性層が形成されたものである。また、弾性層は、図示しないが、厚さ０．１ｍｍの下地樹脂層（ＰＥＴすなわちpolyethylene terephthalate層）に、厚さ０．０３ｍｍのシリコーン系樹脂接着層を介して、硬度が（ＪＩＳ−Ａ、これ以降硬度の表記としてＪＩＳ−Ａを省略、度数のみ示す）５０°で、厚さ０．２ｍｍのシリコーン層を積層させた弾性体フィルムとして、ステンレス鋼製のローラの表面に配置される。
【００２９】
一方、二次転写ローラ８は、例えば外径５０ｍｍのステンレス鋼製の中空ローラ内部に図示しないヒータが内蔵され、一次転写ローラ７との間を通過する用紙９を所定の温度に加熱できる。また、二次転写ローラ８には、一次転写ローラ７に向かう方向に、例えば１００ｋｇの荷重が付与されている。
【００３０】
このようなＩＯＩカラー電子写真プロセスにおいては、第１のレーザ露光３−１により感光体ドラム１上に第１色の静電潜像が形成され、第１の色のトナーを含む液体現像剤を保持した第１の現像器４−１によって第１色の静電潜像の可視像化が行われる。第１色の静電潜像に付着した液体現像剤すなわちトナーおよび溶媒は、そのまま乾燥機構５からなる乾燥工程を経て、一次転写ローラ７および二次転写ローラ８により用紙９に転写されても良いが、図１に示した例では、引き続き第２帯電器２−２と第２レーザ露光３−２で第２の静電潜像を形成し、第１の現像器４−１に収納されている液体現像剤のトナーとは異なる色の第２色の現像剤を保持した第２現像器４−２によって、さらに現像する。
【００３１】
従って、第２現像器４−２により第２の現像が終了した時点で、潜像保持体１上には、２色のトナー像が形成されている。同様に、第３色の現像剤を保持した第３現像器４−３と第４色の現像剤を保持した第４現像器とにより、第３および第４の現像が行われ、感光体ドラム１には、４色のトナーによりフルカラーのトナー像が形成される。
【００３２】
なお、４色のトナーにより４つの画像を重ね合わせてフルカラー画像を形成する場合、本願発明者らと共同の発明者による先願（特開２００１−８３８０６）において既に公開されているように、現像後に、セットチャージャでトナー画像を感光層にセット（固定）し、感光層へのトナー画像の付着力を上げるとともに画像上の余剰現像液に含まれる浮遊トナーを減少させてもよい。この場合、図２〜図６を用いて以下に説明する第一の乾燥工程終了後のトナー画像の乾燥率は、２５ｗｔ％程度であっても良い。
【００３３】
感光体ドラム１上に形成された４色のトナー画像は、本願発明者らにより提案され、特開２０００−３４７５２０号公報等により既に公開されたシアリング転写（非電界転写）により、一次転写ローラ７に一括転写され、用紙９に二次転写される。なお、本願発明者らによるシアリング転写は、一次転写体ローラ７の表面の軸線に沿った任意の位置が移動される速度（以下ローラ周速と呼称する）を、感光体ドラム１のドラム周速と異なる速度とすることで、一次転写ローラ７と感光体ドラム１との間のニップ領域において転写ローラ７側に生じるニップ（弾性層の弾性変形領域）で、積層された状態の４色のトナー画像を一括して移し取る転写方法である。また、一次転写体ローラ７のローラ周速と感光体ドラム１のドラム周速との速度差は３％とし、ドラム周速をローラ周速よりも速めている。
【００３４】
以下、感光体ドラム１は、用紙９にトナー画像が転写された後に残ったトナー（トナー画像）がクリーナ１０によりクリーニングされて、次の画像形成動作に利用される。
【００３５】
ところで、シアリング転写（非電界転写）では、現像直後に感光体ドラム１上でトナー画像を乾燥するため、電界転写のようにブロア（エアの吹きつけ）および転写工程で画像が乱されることがない。
【００３６】
しかしながら、乾燥により感光体ドラム１上のトナー画像から完全に溶媒が除去された時点（瞬間）から、乾燥機構５からの熱によりトナー粒子が相互に融着してフィルム化が生じ、感光体表面に固着してオフセット転写不可となる。このことは、特許文献３でも同様の問題である。
【００３７】
このため、非電界転写、特に本願発明者らにより実用化されたシアリング転写においては、感光体ドラム１から一次転写ローラ７に転写される直前のトナー画像の余剰現像液を高速で除去してトナー画像の乾燥率を最適範囲内に到達させることと、感光体ドラム１上のトナー画像の状態を、画像大部分のトナー粒子が粒子形状を維持し、トナー粒子同士の融着が進行していない状態であるフィルム化の生じない状態を維持しながら、トナー画像の乾燥率を上げることが重要である。
【００３８】
［実施例１］  図１ないし図４および表１に従って本発明の実施例その１を示す。
【００３９】
図２は、図１に示した湿式画像形成装置に組み込まれる乾燥機構の構成を模式的に示した断面図である。
【００４０】
乾燥機構５は、第一乾燥部５−１と第二乾燥部５−２とを含む。
【００４１】
第一乾燥部５−１は、スリット幅２ｍｍで、スリット出口１０ｍｍの位置で計測した風速で、３〜２０ｍ／ｓの低速の吹きつけ風（以下低速風と呼称する）が得られるスリットノズル５−１１と、感光体ドラム１およびドラム１上のトナー画像を加熱するヒータ５−１２と、を有する。なお、スリットノズル５−１１の前段には、ノズル５−１から吹き出される風を、５０〜１５０℃に加熱する図示しない加熱手段が設けられている。
【００４２】
ヒータ５−１２は、遮蔽板５−１３により覆われることで、その熱を感光体ドラム１側に放射する。ヒータ５−１２はまた、例えばセラミックヒータであり、その出力の一例を示すと１０００Ｗ−２００Ｖである。
【００４３】
第二乾燥部５−２は、スリット幅０．５ｍｍで、スリット出口１０ｍｍの位置で計測した風速で、風速２０〜１００ｍ／ｓの高速の吹きつけ風（以下高速風と呼称する）が得られるスリットノズル５−２１と、ノズル５−２１からの高速風を感光体ドラム１に沿って案内するフード５−２２と、を有する。
【００４４】
なお、第一および第二乾燥部５−１および５−２のそれぞれにおいて、感光体ドラム１が回転される方向の下流側に位置する領域に溶媒回収管６−１が設置され、乾燥部により加熱されて蒸発した溶媒蒸気を含んだ吹きつけ風が溶媒回収部６−２に案内されて、回収される。
【００４５】
表１は、第一乾燥部５−１に関し、セラミックヒータ５−１２のみを通電させて感光体ドラム１を連続回転させた時の感光体ドラム１表面の温度と、スリットノズル５−２１による温風吹きつけを併用して感光体ドラム１を連続回転させた時の感光体ドラム１表面の温度を示したものである。なお、セラミックヒータ５−１２は、表面温度２００℃となるよう動作させている。また、温風は、スリットノズル５−１１に、出力が０．７５ｋＷのブロアが接続されたから風速２０ｍ／ｓ、温度５０℃の吹きつけ風を、ヒータ５−１２と感光体ドラム１表面との間隙に送り込んだ。
【表１】
2005099508.tif 000003
【００４６】
表１に示されるように、ヒータ５−１２のみで加熱した場合、第一乾燥部５−１内は、高温雰囲気となり、感光体ドラム１表面の温度は、連続運転１０分で、６０℃以上に上昇する。なお、感光体ドラム１に用いる感光層の材料がアモルファスシリコンである場合には、感光層にダメージが生じる。また、連続運転３０分では、同温度は、８０℃を超えることから、感光層として利用可能な材質は存在せず、実験を中止している。
【００４７】
一方、温風を併用した場合、第一乾燥部５−１内に滞留した高温雰囲気が滞留すること（高温雰囲気を移動させること）ができ、感光体ドラム１表面の温度の上昇を防ぐことができた（表１から５０℃まで達しないことが認められる）。なお、ヒータ５−１２と温風を併用した構成では、第一乾燥部５−１出口での温風の温度は、６５〜７５℃で、長時間連続運転しても、ほとんど温度上昇は見られなかった。
【００４８】
図３は、図２および表１により説明した乾燥機構により、現像後、乾燥工程を経て転写工程に至るまでのトナー画像の乾燥率を測定した結果を示している。
【００４９】
乾燥率は、各工程を感光体ドラム１上のトナーが通過した直後に感光体ドラム１の回転を止め、加熱部と送風部の運転を停止した状態でブレードによりトナー画像を掻き取り、掻き取り直後のトナー画像の重量（固形分すなわちトナー粒子の重量とキャリア液の重量の合計値）と乾燥後のトナー画像の重量（固形分の重量）との比、すなわち固形分濃度である。なお、乾燥率を測定する方法としては、本願発明者を含む先願である特開２００２−９１１７４号公報に公開された画像の反射率を測定することも可能である。
【００５０】
本実施例の乾燥実験では、トナー画像は現像工程後に乾燥率１５ｗｔ％で、第一乾燥部５−１に移行した（図３のＡ点参照）。
【００５１】
図４に、第一、第二の各乾燥工程で余剰現像液を除去する過程を模式的に示した。
【００５２】
現像直後のトナー画像は、図４（ａ）に示すように過剰の溶媒を含んでいる。
【００５３】
この状態で、トナー画像は、感光体ドラム１が回転されることによる外周面の移動により、第一の乾燥工程すなわち第一乾燥部５−１と対向される領域に移動される。
【００５４】
第一の乾燥工程内では、トナー粒子のガラス転移温度以上に保持された温風が領域内を流れるが、トナー画像上に余剰現像液が存在した状態であるため、温風から伝えられる熱量は、ほとんど溶媒の蒸発に使われる。従って、トナー画像の急激な温度上昇を防ぐことができる（図４（ｂ））。なお、第一乾燥部５−１終端の溶媒回収管６−１入り口において溶媒蒸気を含んだ風は、風速５ｍ／ｓ、温度７０℃であり、同位置で画像の乾燥率を測定したところ、５０ｗｔ％程度であった（図３のＢ点参照）。
【００５５】
第一の乾燥工程を終了したトナー画像は、トナー画像上の溶媒がほとんど取り去られた状態（乾燥率４０〜６０ｗｔ％程度）すなわち重なり合ったトナー画像のトナー粒子間には溶媒が存在している状態で、感光体ドラム１が回転されることによる外周面の移動により、図４（ｃ）に示す第二の乾燥工程すなわち第二乾燥部５−２と感光体ドラム１が対向される領域に搬送（移動）される。なお、第二乾燥部５−２では、５ｋＷのブロアを接続したノズル５−２１を用い、フード５−２２を介して、ノズル出口での感光体ドラム１の近傍の風速が８０ｍ／ｓの高速風を感光体ドラム１およびドラム１上のトナー画像に吹きつけた。また、第二乾燥部５−２通過後に画像の乾燥率を測定したところ、９０ｗｔ％であった。
【００５６】
第二の乾燥工程に移動されたトナー画像は、第一の乾燥工程により画像上の余剰現像液がほとんど存在しない状態に乾燥されているため、ガラス転移温度以下の大容量高速エア（高速風）を吹きつけても画像の乱れを生じることはない。また、トナー画像のフィルム化（乾燥により感光体ドラム１上のトナー画像から殆ど溶媒が除去された時点（瞬間）から、熱によりトナー粒子が相互に融着する現象）を防ぎながら、トナー粒子間、もしくは感光体ドラム１表面の余剰現像液を除去できる（図４（ｄ））。この時のトナー画像は、画像内の溶媒をほとんど取り去った（トナー粒子の周囲に僅かな量の溶媒の膜がある）状態である。
【００５７】
この場合、トナー画像内の大部分のトナー粒子は、相互に融着していない状態、すなわちトナー粒子の厚さ方向においてキャリア液が実質的にトナー粒子の厚さと等しい高さに残っている状態を保ち、この状態を維持して転写工程に移行されたトナー画像が用紙９に転写される。
【００５８】
なお、図４（ｄ）に示した溶媒が殆ど除去された状態は、乾燥率７５ｗｔ％以上、より好ましくは、９０ｗｔ％以上であればよく、必ずしも溶媒が実質的に検出できない乾燥率１００ｗｔ％である必要はない。すなわち、トナー粒子の周囲には、溶媒の膜があっても構わない。また、シアリング転写に適した乾燥率は、トナー層厚、画像濃度によっても異なるが、下限値は、７５ｗｔ％程度である。これに対し、上限は、特にトナー層厚、画像濃度に敏感であり、例えば４色のベタ画像の重なったトナー画像では１００ｗｔ％に近い乾燥率において、トナー画像にひびわれが発生する場合がある。一方、比較的トナー層厚の少ない画像では、１００ｗｔ％まで乾燥させた場合でも、良好な転写画像が得られる。よって、第二の乾燥工程では、エア吹きつけの風速、風量および風圧等を制御することにより、乾燥率を７５〜１００ｗｔ％の範囲に調整することが好ましい。この場合、画像のフィルム化は起こらない。
【００５９】
図２に示した乾燥機構５を搭載した画像形成装置により、連続５０００枚の画像出力を行い、感光体ドラム１表面の温度を測定したところ、感光体ドラム１表面の温度は、ほぼ４０℃近傍を保持し（表１参照）、感光層（感光体）の温度保証範囲内であることが確認された。
【００６０】
以上の構成の乾燥機構を用いた画像形成装置により、画像の乱れを生じさせず、画像のフィルム化も防いで、シアリング転写に適した乾燥率範囲に高速で到達することが可能となった。
【００６１】
なお、上述した実施例１では、第一乾燥部５−１の加熱手段としてセラミックヒータを用いたが、ニクロム線やカンタル線等に代表される合金ヒータを被覆したリボンヒータや面ヒータ等を用いても同様の効果が得られる。
【００６２】
また、ハロゲンランプヒータや赤外線ランプヒータ、あるいはカーボンヒータもしくは石英ヒータ等を用いることもできる。但し、これら発色（特定の波長の電磁波または熱線が発生）するランプヒータの場合、感光体ドラムの感光層に吸収帯のある発色（波長光）領域が感光層に到達することを抑止する手段や、不透光性の金属遮蔽板等をランプヒータと感光層（感光体面）との間に挿入し、発色による感光層への影響を抑える手段を講じることが好ましい。
【００６３】
［実施例２］  図５、６に従って本発明の実施例その２を示す。
【００６４】
実施例その１と同様の方法で感光体ドラム１表面に形成された静電潜像は、液体現像剤により現像され、乾燥工程５を経た後、１１０℃に設定された一次転写ローラ７の加圧接触によって一次転写ローラ７表面に一次転写され、二次転写ローラ８を介して用紙９に、二次転写される（図１参照）。
【００６５】
図５は、実施例その２の乾燥機構の構成を模式的に示した断面図で、図６は、図５に示す乾燥機構の第一乾燥工程通過後の画像を模式的に示した断面図である。
【００６６】
乾燥機構５は、図５に示すように第一乾燥部５−１と第二乾燥部５−２とを含む。
【００６７】
第一乾燥部５−１は、スリット幅２ｍｍで、スリット出口１０ｍｍの位置で計測した風速で、３〜２０ｍ／ｓの低速の吹きつけ風（以下低速風と呼称する）が得られるスリットノズル５−１１と、感光体ドラム１およびドラム１上のトナー画像を加熱するヒータ５−１２と、を有する。なお、実施例その１と同様に、スリット（低速風）ノズル５−１１の前段には、ノズル５−１から吹き出される風を加熱する図示しない加熱手段が設けられている。また、低速風ノズル５−１１により感光体ドラム１に吹き付けられる風の向きは、感光体ドラム１の外周面が移動される方向に対して逆向きに設定されている。ヒータ５−１２は、遮蔽板５−１３により覆われることで、その熱を感光体ドラム１側に放射する。
【００６８】
第二乾燥部５−２は、スリット幅０．５ｍｍで、スリット出口１０ｍｍの位置で計測した風速で、風速２０〜１００ｍ／ｓの高速の吹きつけ風（以下高速風と呼称する）が得られるスリットノズル５−２１と、ノズル５−２１からの高速風を感光体ドラム１に沿って案内するフード５−２２と、を有する。
【００６９】
なお、第一乾燥部５−１には、感光体ドラム１が回転される方向の上流側に位置する領域に溶媒回収管６−１が設置されている。第一乾燥部５−１により加熱されて蒸発した溶媒蒸気を含んだ比較的高温の風は溶媒回収管６−１に案内されて、高温蒸気回収装置６−３に運ばれ、そこで冷却機構を介して液体の状態で回収される（詳細図示せず）。また、第二乾燥部５−２には感光体ドラム１が回転される方向の下流側に位置する領域に溶媒回収管６−１が設置されている。第二乾燥部５−２において吹き付け乾燥により蒸発した溶媒蒸気を含んだ比較的低温の風は溶媒回収管６−１に案内されて、低温蒸気回収装置６−４に運ばれ、そこで活性炭等の溶媒吸収機構を通して回収する（詳細図示せず）。
【００７０】
現像工程通過直後に乾燥率が１５ｗｔ％であったトナー画像は、第一乾燥部５−１において、１５０℃を保持するように設定されたセラミックヒータ５−１２と感光体ドラム１との間に、低速風ノズル５−１１から吹きつけられる風によりトナー層上の溶媒の一部を蒸発させて取り去り、溶媒蒸気を含んだ風は溶媒回収管６−１を経て、高温蒸気回収装置６−３に運ばれる。低速風ノズル５−１１の出口近傍の風速は５ｍ／ｓ、温度６０℃であり、第一乾燥工程通過直後の風の温度は５２℃であった。
【００７１】
図６に示すように、平均トナー層厚約３μｍの画像パターンで出力した場合、現像工程通過直後のトナー層上に存在する液膜は約１２μｍ（図６（Ａ）参照）で乾燥率は、概ね１５ｗｔ％である。また、第一乾燥部５−１通過後にトナー層上に存在する液膜は約６μｍで、画像の乾燥率は２５ｗｔ％（図６（Ｂ）参照）程度であった。
【００７２】
第一の乾燥工程内では、トナー粒子のガラス転移温度以上に保持された温風が領域内を流れるが、トナー画像上に余剰現像液が多量に存在した状態であるため、温風から伝えられる熱量は、ほとんど溶媒の蒸発に使われ、トナー画像の急激な温度上昇を防ぐことができる。
【００７３】
なお、現像工程通過直後の画像が含んでいた溶媒の約４５ｗｔ％が図６（Ｂ）に示した低速風およびヒータ５−１２からの熱により、第一乾燥工程により最終的に除去された。この時除去された溶媒は、高温蒸気回収装置６−３においてほぼ１００％に近い効率で液の状態で回収されるため、再利用が可能であった（詳細装置図示せず）。
【００７４】
第一の乾燥工程を終了したトナー画像は、トナー画像上の溶媒の一部が取り去られた状態で、第二の乾燥工程すなわち第二乾燥部５−２と感光体ドラム１が対向される領域に搬送（移動）される。
【００７５】
第二乾燥部５−２では、５ｋＷのブロアを接続した高速風ノズル５−２１を用い、フード５−２２を介して、高速風を感光体ドラム１およびドラム１上のトナー画像に吹きつけた。高速風ノズル５−２１の出口近傍の風速は８０ｍ／ｓ、温度３５℃であり、第二乾燥工程通過直後の風の温度も３５℃であった。
【００７６】
第二乾燥部５−２通過後に画像の乾燥率を測定したところ、９５ｗｔ％であった。
【００７７】
この時のトナー画像は、図４（ｄ）に示したように画像内の溶媒をほとんど取り去った（トナー粒子の周囲に僅かな量の溶媒の膜がある）状態である。すなわち、画像内の大部分のトナー粒子は融着していない状態を保ち、この状態を維持して転写工程に移行された画像は、高画質で用紙９に転写された。
【００７８】
図５に示した乾燥機構５を搭載した画像形成装置により、連続５０００枚の画像出力を行い、感光体ドラム１表面の温度を測定したところ、感光体ドラム１表面の温度は、ほぼ３５℃近傍に維持され、感光層（感光体）の温度保証範囲内であることが確認された。
【００７９】
なお、既に説明したが、通常画像が溶媒を多量に含んだ状態にある場合には、高速の吹き付け風に晒されることで画像の乱れが発生しやすい。しかしながら、このような場合は、例えば現像後にセットチャージャでトナー画像をセット（固定）し、感光層へのトナー画像の付着力を上げるとともにトナー画像および感光層上の余剰現像液中に含まれる浮遊トナーを減少させることにより、第一乾燥工程終了後のトナー画像の乾燥率は、２５ｗｔ％程度であっても良い。
【００８０】
本実施例では、第一乾燥工程通過後の乾燥率として２５ｗｔ％が得られているが、特に画像濃度の極端に異なる領域が混在している出力パターンの乾燥工程に対しては、第一乾燥工程通過後の乾燥率が２５ｗｔ％〜５０ｗｔ％の範囲にある構成が有効である。画像濃度の極端に異なる領域が混在しているパターンの出力画像では、第一乾燥工程において、より乾燥率の高い状態、すなわち液膜のかなりな量が除去された状態にしてしまうと、現像工程通過直後にもともと液膜の薄い状態であった領域において、過剰に溶媒を取り去った状態となる。そのような領域では、部分的に表面のトナー粒子が露出し、温風に晒されることによりトナー粒子同士が融着するフィルム化が起こり、転写効率を低下させてしまう。
【００８１】
よって、本実施例の様に、トナー層上の液膜を一部残した乾燥状態とし、第二乾燥工程に移行させることにより、部分的なフィルム化を避けることが可能で、良好な転写画像が得られる。ただし、本実施例のように、第一乾燥工程においてトナー層上の液膜を一部残した状態としても、第二乾燥工程のような吹き付け乾燥だけで画像の乾燥率を上げる構成に比べて、乾燥に要する時間を短縮することができ、装置の高速化が達成できるのは言うまでもない。
【００８２】
また、吹き付け乾燥で溶媒を含んだ比較的低温の風から溶媒のみを液化させて回収し、再利用することはかなり困難であるが、本実施例のように、画像に含まれる溶媒の半分近くを液体の状態で回収することが出来るので、省資源の面からも有効である。
【００８３】
［実施例３］  図５、７に従って本発明の実施例その３を示す。
【００８４】
実施例その１及び２と同様の方法で感光体ドラム１表面に形成された静電潜像は、液体現像剤により現像され、乾燥工程５を経た後、１１０℃に設定された一次転写ローラ７の加圧接触によって一次転写ローラ７表面に一次転写され、二次転写ローラ８を介して用紙９に、二次転写される（図１参照）。
【００８５】
図７は、図５に示す乾燥機構の第一乾燥工程通過後の画像を模式的に示した断面図である。
【００８６】
乾燥機構５は、実施例その２と同様、図５に示すように第一乾燥部５−１と第二乾燥部５−２とを含む。
【００８７】
第一乾燥部５−１は、低速風が得られるスリット（低速風）ノズル５−１１と、感光体ドラム１およびドラム１上のトナー画像を加熱するヒータ５−１２と、を有し、スリットノズル５−１１の前段にはノズル５−１から吹き出される風を加熱する図示しない加熱手段が設けられ、ヒータ５−１２は遮蔽板５−１３により覆われている。
【００８８】
第二乾燥部５−２は、高速風が得られるスリットノズル５−２１と、ノズル５−２１からの高速風を感光体ドラム１に沿って案内するフード５−２２と、を有する。
【００８９】
第一乾燥部５−１を通過後の溶媒蒸気を含んだ高温風は、溶媒回収管６−１に案内されて、高温蒸気回収装置６−３に運ばれ、そこで冷却機構を介して液体の状態で回収される（詳細図示せず）。同様に第二乾燥部５−２を通過後の溶媒蒸気を含んだ低温風は溶媒回収管６−１に案内されて、低温蒸気回収装置６−４に運ばれ、そこで活性炭等の溶媒吸収機構を通して回収する（詳細図示せず）。
【００９０】
現像工程通過直後に乾燥率が１５ｗｔ％であったトナー画像は、第一乾燥部５−１において、１５０℃を保持するように設定されたセラミックヒータ５−１２と感光体ドラム１との間に、低速風ノズル５−１１から吹きつけられる風によりトナー層上の溶媒の一部を蒸発させて取り去り、溶媒蒸気を含んだ風は溶媒回収管６−１を経て、高温蒸気回収装置６−３に運ばれる。低速風ノズル５−１１の出口近傍の風速は５ｍ／ｓ、温度８５℃であり、第一乾燥工程通過直後の風の温度は８０℃であった。
【００９１】
図７に示すように、平均トナー層厚約３μｍの画像パターンで出力した場合、現像工程通過直後のトナー層上に存在する液膜は約１２μｍで、第一乾燥部５−１通過後にはトナー層上に存在する液膜のほとんどと、トナー層内の液の一部が除去され、画像の乾燥率は７０ｗｔ％程度であった。乾燥率７０ｗｔ％では、溶媒は各トナー粒子の表面を覆った膜と、感光体表面を覆った膜として存在している。なお、乾燥率７０ｗｔ％が上記の状態であるとしている根拠の参考文献１，２を以下に付記する。
【００９２】
［参考文献１］
A.Iida, Y.Shinjo, H.Nukada, N.Yoshikawa, S.Hirahara and M.Hosoya: “ A Study of the Relationship between Drying State of Toner Image and Transfer Performance in the Image-On-Image (IOI) Color Process using Liquid Toner ”, Proceedings of Internetional Congress of Imaging Science (ICIS’02), Tr5-051, SPSTJ, pp. 596-597 (2002)    
［参考文献２］
飯田敦子、真常泰、額田秀記、吉川紀夫、平原修三、細矢雅弘：“液体トナーの画像乾燥状態と転写特性との相関”  日本画像学会誌、vol.42, no.1, pp. 24-31 (2003)
よって、第一の乾燥工程内では、トナー粒子のガラス転移温度以上に保持された温風が領域内を流れるが、温風から伝えられる熱量はほとんど溶媒の蒸発に使われ、トナー画像の急激な温度上昇を防ぐことができると同時に、トナー粒子間には溶媒の薄い膜が介在している状態であるため、トナー粒子同士の融着を防ぐことができ、フィルム化は起こらない。
【００９３】
現像工程通過直後の画像が含んでいた溶媒の約９２ｗｔ％を第一乾燥工程により除去された。
【００９４】
この時除去された溶媒は、高温蒸気回収装置６−３においてほぼ１００％に近い効率で液の状態で回収されるため、画像形成に用いた溶媒の大部分を再利用することが可能となった（詳細装置図示せず）。
【００９５】
第一の乾燥工程を終了したトナー画像は、トナー画像上の溶媒の一部が取り去られた状態で、第二の乾燥工程すなわち第二乾燥部５−２と感光体ドラム１が対向される領域に搬送（移動）される。第二乾燥部５−２では、１．５ｋＷのブロアを接続した高速風ノズル５−２１を用い、フード５−２２を介して、高速風を感光体ドラム１およびドラム１上のトナー画像に吹きつけた。高速風ノズル５−２１の出口近傍の風速は５０ｍ／ｓ、温度３０℃であり、第二乾燥工程通過直後の風の温度も３０℃であった。第二乾燥部５−２通過後に画像の乾燥率を測定したところ、９５ｗｔ％であった。
【００９６】
この時のトナー画像は、図４（ｄ）に示したように画像内の溶媒をほとんど取り去った（トナー粒子の周囲に僅かな量の溶媒の膜がある）状態である。すなわち、画像内の大部分のトナー粒子は融着していない状態を保ち、この状態を維持して転写工程に移行された画像は、高画質で用紙９に転写された。
【００９７】
図５に示した乾燥機構５を搭載した画像形成装置により、連続５０００枚の画像出力を行い、感光体ドラム１表面の温度を測定したところ、感光体ドラム１表面の温度は、ほぼ４０℃近傍に維持され、感光層（感光体）の温度保証範囲内であることが確認された。
【００９８】
本実施例では、第一乾燥工程通過後の乾燥率として７０ｗｔ％が得られるような構成としているが、特に画像濃度が広い範囲で均等に分布している出力パターンの乾燥工程には有効である。そのようなパターンの出力画像では、第一乾燥工程において、トナー層より上の液膜はいうまでもなく、トナー層内の一部の液まで除去しても画像内のトナー粒子はほぼ全域において液膜に覆われた状態を保っているため、局所的なフィルム化を防ぐことができる。よって、本実施例の様に第二乾燥工程においては、実施例その２と比べて比較的小さい容量のブロアで短時間のうちに十分乾燥率を上げることが可能になり、装置の大幅な高速化が達成される。また、画像に含まれる溶媒の大部分を液体の状態で回収することが出来るので、省資源の面からも非常に有効である。
【００９９】
［実施例４］  図８，９に従って本発明の実施例その４を示す。
【０１００】
実施例その１〜３と同様の方法で感光体ドラム１表面に形成された静電潜像は、液体現像剤により現像され、乾燥工程５を経た後、１１０℃に設定された一次転写ローラ７の加圧接触によって一次転写ローラ７表面に一次転写され、二次転写ローラ８を介して用紙９に、二次転写される（図１参照）。
【０１０１】
図８は、実施例その４の乾燥機構の構成を模式的に示した断面図で、図９は、図８に示す乾燥機構に適用される熱ローラの構成を模式的に示した図である。
【０１０２】
乾燥機構は、図２に示した実施例その１と同様、第一乾燥部５−１と第二乾燥部５−２とからなる。なお、図２により前に説明した構成と実質的に同じ構成には、同一の符号を付して、詳細な説明を省略する。
【０１０３】
第一乾燥部５−１は、熱ローラ５−１４と整流板５−１５とノズル５−１６からなる。ノズル５−１６は、スリット幅２ｍｍで、スリット出口１０ｍｍの位置で計測した風速が３〜２０ｍ／ｓの吹きつけ風が得られる。
【０１０４】
熱ローラ５−１４は、図９（ａ）に示すように、感光体ドラム１の軸線に沿って管状に形成されたハロゲンランプをヒータに用いたヒータ５−１４３を内蔵した直径２０ｍｍのステンレス鋼製の中空パイプ５−１４２に、厚さ５ｍｍのシリコーン系ゴムの弾性層５−１４１が形成された構成である。
【０１０５】
熱ローラ５−１４はまた、図９（ｂ）に示すように、両端のギャップリング５−１４４により、感光体ドラム１表面から２０μｍの間隔が保持されるとともに、ベアリング５−１４５を介して、感光体ドラム１の外周面が移動される方向とローラ５−１４の外周面が移動される方向と等しいウィズ（with）方向（回転軸の回転方向は逆）に回転される。
【０１０６】
整流板５−１５は、感光体ドラム１表面や熱ローラ５−１４表面から発生する溶媒蒸気を、ノズル５−１６からの吹きつけ風により溶媒回収管６−１に回収可能に、吹きつけ風の流れを設定する。なお、ノズル５−１６には、０．７５ｋＷのブロアにより風速１５ｍ／ｓの吹きつけ風が供給される。これにより、熱ローラ５−１４および感光体ドラム１の近傍に、高温の溶媒蒸気が滞留すること、現像器４−４（図１参照）側に高温の溶媒蒸気が回り込むこと等が防止され、装置の安全性および耐久性が高められる。
【０１０７】
図８および図９に示した乾燥機構においては、現像工程直後に、乾燥率が１０ｗｔ％であったトナー画像は、第一乾燥部５−１の熱ローラ５−１４がギャップリング５−１４４で画像上に存在する余剰現像液に近接されることにより、余剰現像液を気化されて、所定の比率まで乾燥される。なお、一部の余剰現像液は、熱ローラ５−１４に付着してノズル５−１６からの吹きつけ風を受けることにより、気化され、除去された。また、熱ローラ５−１４の表面温度は、８０℃とした。
【０１０８】
ところで、熱ローラ５−１４の表面には、余剰現像液に含まれた浮遊トナーが付着するが、例えば金属製の薄板であるスクレーパ５−１４６で掻き落とすことにより、熱ローラ５−１４表面にトナーが積層してギャップリング５−１４４によるギャップ調整が損なわれることがないようにしている。
【０１０９】
図８に示した乾燥機構を用いた画像形成装置を用いて感光体ドラム１上にトナー画像を形成し、第一乾燥部５−１を通過した時点の画像の乾燥率を測定したところ、６０ｗｔ％であった。
【０１１０】
続いて、第二乾燥部５−２により、５ｋＷのブロアを接続したスリット幅０．５ｍｍのノズル５−２１によって、ノズル５−２１出口における感光体ドラム１近傍に、風速８０ｍ／ｓの高速風を吹きつけ、乾燥率を測定したところ、８５ｗｔ％であった。
【０１１１】
この時のトナー画像は、図４（ｄ）に示したように画像内の溶媒をほとんど取り去った（トナー粒子の周囲に僅かな量の溶媒の膜がある）状態である。すなわち、画像内の大部分のトナー粒子は融着していない状態を保ち、この状態を維持して転写工程に移行された画像は、高画質で用紙９に転写された。
【０１１２】
この乾燥機構を搭載した画像形成装置により連続５０００枚の画像出力を行い、感光体ドラム１表面の温度を測定したところ、感光体ドラム１表面の温度は、ほぼ４０℃近傍に維持され、感光層（感光体）の温度保証範囲内であることが確認された。
【０１１３】
なお、上述した実施例４では、第一乾燥部５−１の加熱手段すなわち熱ローラ５−１４としてシリコーン系ゴム層を形成した熱ローラを用いたが、ゴム層としては、フッ素系、ウレタン系、ＮＢＲ系、もしくはそれらの樹脂でも同様の効果が得られる。
【０１１４】
なお、上述した実施例４では、第一乾燥部５−１の熱ローラ５−１４の外周面に接触される書き落とし部材として、金属製のブレードによるスクレーパ５−１４６を用いたが、スクレーパ部材として、耐熱性の良好なフッ素系樹脂、ポリエステル系樹脂、エポキシ系樹脂、ポリエーテルサルホン（PES）系樹脂、ポリエーテルエーテルケトン（PEEK）系樹脂等からなるブレードを用いたスクレーパでも同様の効果が得られる。また、スクレーパの他に、ベルト表面に当接して付着物を除去する機構、例えば、金属シャフトにポリエステル樹脂等からなる繊維をループ状に埋め込んだクリーニングブラシを押圧する構成や、不織布、フェルトを巻いたクリーニングローラを押圧する構成や、不織布、フェルトを介してゴムローラを押圧して汚れを拭き取り、不織布、フェルトを巻き取っていく構成でも同様の効果が得られる。
【０１１５】
［実施例５］  図１０、１１に本発明の実施例その５を示す。
【０１１６】
実施例その１〜４と同様の方法で感光体ドラム１表面に形成された静電潜像は、液体現像剤により現像され、乾燥工程５を経た後、１１０℃に設定された一次転写ローラ７の加圧接触によって一次転写ローラ７表面に一次転写され、二次転写ローラ８を介して用紙９に二次転写される（図１参照）。
【０１１７】
図１０は、図１により説明した各色の現像器の直後に配した色間乾燥機構の構成を模式的に示した断面図で、図１０は、感光体ドラム表面の温度制御を行う構成を模式的に示した図である。
【０１１８】
図１０に示される通り、色間乾燥機構１１は、０．５ｋＷのブロアを接続したスリット幅２ｍｍのスリットノズル１１−１と、熱ローラ１１−２と、遮蔽板１１−３と、を含み、第１色の現像器４−１の直後で次色の帯電器２−２の直前、第２色の現像器４−３の直後で次色の帯電器２−３の直前、および第３色の現像器４−３の直後で次色の帯電器２−４の直前、として規定される色間部分のうちの少なくとも１カ所に配置される。
【０１１９】
熱ローラ１１−２は、遮蔽板１１−３に覆われ、遮蔽板１１−３の一端（終端）側は、図２または図８により説明したと同様の溶媒回収管６−１に接続されている。また、実施例その２，３で図５により説明したと同様に、第一乾燥工程からの溶媒蒸気を含んだ高温の排気を、第二乾燥工程とは別の専用溶媒回収管６−１を介して、高温蒸気回収装置６−３に運び、冷却機構を介して液体の状態で回収してもよい（詳細図示せず）。
【０１２０】
熱ローラ１１−２は、感光体ドラム１０１の軸線に概ね平行な管状に形成されたハロゲンランプ（図示せず）を内蔵した直径１０ｍｍの中空パイプに、図示しないが厚さ３ｍｍの導電性ウレタン系ゴム層が形成されたもので、図９（ｂ）により説明した構成と実質的に等しく構成された図示しないギャップリングにより感光体ドラム１の表面から２０μｍの間隔で感光体ドラム１０１に対向して配置されている。なお、熱ローラ１１−２は、感光体ドラム１０１と対向される位置で表面の移動方向が感光体ドラム１の表面の移動方向と同じ方向となるウィズ方向（回転軸の回転方向は互いに逆）に回転される。
【０１２１】
感光体ドラム１０１は、図１０に示される通り、感光層（または感光体フィルム）を保持する支持体１０１−１内に設けられた感光体温度制御機構１１１の一部である流体通路１１１−１内に、中空あるいは図示しない流体通路が一体に形成されたシャフト１１１−２ならびにロータリージョイント１１１−３（流入側）およびロータリージョイント１１１−４（流出側）により、温度コントローラ１１１−５により所定温度に制御された液体、例えば水１１１−６が循環されることで、感光層すなわちドラム１０１表面の温度が一定範囲に維持される。
【０１２２】
なお、感光体温度制御機構１１１を用いて感光体ドラム１０１表面（すなわち感光層）の温度を、トナーのガラス転移温度以下の一定範囲内に制御することで、感光体ドラム１０１上に形成されるトナー画像のフィルム化を防ぐとともに、熱ローラ１１−２等に代表される加熱機構を感光体ドラム１０１近傍で使用する場合であっても、露光や現像工程に与える温度の影響を低減することができる。
【０１２３】
図１０および図１１に示した画像形成装置においては、熱ローラ１１−２の表面温度を５０℃に加熱し、感光体ドラム１０１上にトナー画像とともに存在する余剰現像液に対して、ギャップリングにより所定の間隔で近接させることにより余剰現像液を気化させ、ノズル１１−１出口近傍で風速１０ｍ／ｓの風を感光体ドラム１０１に吹きつけ、次色現像工程前にトナー画像の乾燥率を高める。なお、感光体ドラム１０１の表面すなわち感光層の温度は、感光体温度制御機構１１１により、例えば４０〜４２℃の範囲に制御される。
【０１２４】
１色目の現像工程直後に、乾燥率が概ね１２ｗｔ％であったトナー画像は、第１の色間乾燥機構１１により、例えば乾燥率２０ｗｔ％まで乾燥され、感光体ドラム１０１が回転されることで、２色目の現像工程に移動される。
【０１２５】
２色目の潜像が露光されたのち、１色目のトナー画像上に、現像器４−２（図１参照）により２色目のトナー画像が形成（現像）される。これにより、２色のトナー画像が積層された状態の画像全体の乾燥率は、概ね１８ｗｔ％となり、第２の色間乾燥機構１１で、例えば乾燥率２８ｗｔ％まで乾燥される。
【０１２６】
同様に、２色目のトナー画像上に、３色目の潜像が露光されたのち、現像器４−３（図１参照）により現像される。このとき、３色のトナー画像が積層された状態の画像全体の乾燥率は概ね２２ｗｔ％となり、第３の色間乾燥機構１１により、例えば乾燥率３２ｗｔ％まで乾燥される。
【０１２７】
この状態で、所定のタイミングで露光された４色目の潜像が、現像器４−４により現像されることで、既に形成されている３色のトナー画像に、さらに４色目のトナー画像が、重ね合わせられる。なお、４色面の現像直後の乾燥率は、概ね２８ｗｔ％であった。
【０１２８】
４色目の現像工程後には、図示しないが、実施例その２により説明したと同様の第１および第２の乾燥機構５−１，５−２が設けられており、表面温度が７０℃に加熱された熱ローラ５−１４を感光体ドラム１の表面に近接させ、同時に０．７５ｋＷのブロアを接続したスリット幅２ｍｍのスリットノズル５−１６によって、ノズル５−１６出口での風速５ｍ／ｓの風を、熱ローラ５−１４と整流板５−１５との間隙に吹きつけることで、第一乾燥部５−１通過後に、概ね６５ｗｔ％までトナー画像が乾燥される。
【０１２９】
この状態で、感光体ドラム１０１の回転により、第ニ乾燥部５−２に移送されたトナー画像は、第二乾燥部５−２の１．５ｋＷのブロアを接続したスリット幅０．５ｍｍのノズル５−２１からの、ノズル出口における感光体ドラム１０１近傍での風速５０ｍ／ｓの高速風が吹きつけられることにより、乾燥率９０ｗｔ％に乾燥された。これにより、トナー画像内のほとんどのトナー粒子が相互に融着していない状態に維持され、転写工程に移行されて、高画質で用紙９に転写された。
【０１３０】
このように、これまで、画像濃度の面内分布（感光体ドラム１０１上の高さ方向分布）が大きい画像モードすなわち４色のトナー画像が積層されているような状態においては、４色目の現像工程後に一括して乾燥を行う際に、画像濃度の濃い領域のトナー画像の下層からの溶媒が除去しにくく、同時に画像上層で過乾燥になりやすいという乾燥ムラが発生して、転写不良が生じることが知られているが、上述の実施例４のように、色間乾燥機構を任意の色の画像形成ユニット間に配置し、次色の重ね合わせ前にある程度余剰現像液を除去することにより、画像濃度の濃い領域でも、最終段の乾燥工程である４色目現像後の第一、第二乾燥部での乾燥能力が調整しやすくなり、良好な転写が可能となる。
【０１３１】
また、上述の実施例５では、感光体温度調整機構１１１により、感光体ドラム１０１の表面の感光層温度が一定範囲内に制御されているため、第二乾燥部５−２による吹きつけ乾燥において、感光体ドラム１０１表面やトナー画像の下層トナー粒子間に存在している溶媒の気化を促進させ、中容量の吹きつけ風でも引き続く転写が良好な乾燥率を得ることでき、省電力化が可能である。
【０１３２】
さらに、加熱ヒータや温風吹きつけ装置の異常時に、感光体ドラム表面の感光層が高温雰囲気に曝されるという事象が発生したとしても、感光層の急激な温度上昇が抑止されるので、感光層（感光体）を保護することができる。
【０１３３】
なお、上述した実施例５では、色間乾燥機構の加熱手段として導電性ウレタン系ゴム層を形成した熱ローラ用いたが、同様の導電性のあるゴム層または樹脂層を有する熱ローラを、実施例１および２における第一乾燥部の熱ローラに適用することで、帯電したトナーがローラに付着することを防ぐ効果が得られる。
【０１３４】
また、熱ローラとして、ゴム層に代えて金属を用いることも可能である。但し、金属を用いる場合には、その表面すなわちローラ表面に、有機あるいは無機の絶縁性の層を形成し、所望の表面抵抗値に調整して、導電性ローラと同等に機能させることが好ましい。
【０１３５】
なお、上述の実施例５では、感光体表面の温度を制御する感光体温度制御機構として、循環水を用いたが、例えばニクロム線やカンタル線等の合金ヒータを用いたリボンヒータや面ヒータを感光体裏面に貼り付け、感光層の温度を一定の温度範囲に制御する方法でも同様の効果が得られる。
【０１３６】
さらに、ベルト感光体等においては、加熱手段を設置した領域に対応する感光体部分の裏面にのみ温度制御装置を設けても良い。
【０１３７】
またさらに、上述した各実施例においては、エア（低速風および高速風）吹きつけ手段として、ブロアに接続されたスリットノズルを用いて吹きつけ風を得たが、特に低速風の吹きつけを行う第一乾燥部においては、シロッコファン等の中容量で低速の吹きつけ風が得られる手段を用いても同様の効果が得られる。
【０１３８】
さらにまた、実施例５では、色間乾燥機構を有した画像形成装置において、感光体表面の温度制御機構を設置したが、実施例１、２および３においても、同様の温度制御機構を設置することで、より確実にトナー画像のフィルム化を防ぐことができるとともに、乾燥効率が向上し、より少ない消費電力で高速乾燥が達成されることは言うまでもない。
【０１３９】
以上説明した通り、本願発明は、像担持体上に、キャリア液にトナー粒子を分散させた液体トナーによって静電潜像を現像したトナー像を形成する現像工程と、トナー像を乾燥させる乾燥工程と、を有し、乾燥工程は、トナー粒子のガラス転移温度以上に保持された雰囲気中を、トナー粒子が相互に融着しない状態を維持した所定の乾燥率まで乾燥させる第１の乾燥工程と、第１の乾燥工程に続いて、トナー粒子のガラス転移温度以下でさらに所定の乾燥率まで乾燥する第２の乾燥工程とを有する湿式電子写真装置である。
【０１４０】
第一の乾燥工程は、加熱ヒータと低速風を吹きつけ可能なエアノズルとにより、ヒータと像担持体表面との間隙に向かって、トナー粒子のガラス転移温度よりも高温の低速風を吹き込むことにより、像担持体表面とトナー画像の温度上昇を防ぎながら、トナー画像中および像担持体上の余剰現像液の気化を促進させて、主にトナー画像内の厚さ方向の全域および像担持体上に存在する大量の余剰現像液を除去する工程である。これにより、溶媒によりトナー画像が流れることが防止される。
【０１４１】
第二の乾燥工程は、大容量の高速風を吹きつけるに適したノズルと、同領域内において高速風を像担持体の所定の位置に案内するに適したフードとにより、トナー粒子のガラス転移温度以下の風を吹きつけて、主にトナー画像内すなわちトナー粒子相互の隙間に存在する余剰現像液を除去する工程である。すなわち、シアリング転写に適した所定の乾燥率が維持されたトナー画像が得られる。
【０１４２】
このように、乾燥工程を、低速風および熱を用いて溶媒を気化させる第一の乾燥工程と高速風により溶媒を除去する第二の乾燥工程により、トナー画像内の溶媒の残存量（乾燥率）を、シアリング転写に適した、トナー画像内の大部分のトナー粒子が融着していない非フィルム化状態を保つことにより、高画質の転写画像が得られる。
【０１４３】
また、多くの画像パターンでは、トナー画像の同一面内に濃淡の異なる画像領域が存在するが、第一の乾燥工程である程度トナー画像および像担持体上の余剰現像液を除去し、第二の乾燥工程において、吹きつけ風の風速、風量ならびに風圧を制御することにより、トナー画像中に含まれる（残存する）溶媒の量を、シアリング転写に適した量（乾燥率）の範囲に調整することが容易で、転写不良が生じにくい高画質の転写画像が得られる。
【０１４４】
また、本願発明は、乾燥工程として、トナー像の乾燥率（固形分濃度）を、概ね２５〜７０ｗｔ％の範囲となるよう乾燥する第１の乾燥工程と、第１の乾燥工程の後に、第１の乾燥工程よりも低温でトナー像の乾燥率が７５〜１００ｗｔ％の範囲となるよう、さらに乾燥させる第２の乾燥工程を有する。
【０１４５】
なお、均一なベタ画像の場合、トナー像から余剰現像液を取り去った状態の乾燥率は、粒子形状の分布に依存して、トナー粒子の積層状態に幅を持つことから、概ね５０〜６５ｗｔ％の範囲の値を示す。また、実際の画像では、トナー像の厚さ方向に加えて面方向の分布もあるため、トナー像から余剰現像液をほぼ取り去った状態の乾燥率は、４０〜７０ｗｔ％の範囲となる。
【０１４６】
また、現像後に、セットチャージャでトナー画像を感光層にセット（固定）し、感光層へのトナー画像の付着力を上げるとともに、トナー画像および感光層上の余剰現像液中に含まれる浮遊トナーを減少させた場合には、上述した第一の乾燥工程終了後のトナー画像の乾燥率は、２５ｗｔ％程度であっても良い。すなわち、第一の乾燥工程終了後の乾燥率が２５ｗｔ％程度であっても、トナー画像が感光層に固定されていることにより、第二の乾燥工程で高速エアの吹付けを行っても、十分画像の乱れは抑えられる。
【０１４７】
よって、第一乾燥工程終了後の乾燥率の下限値は、２５ｗｔ％程度を含ませることができ、第一乾燥工程終了後の乾燥率の範囲は、望ましくは、４０〜７０ｗｔ％となる。
【０１４８】
次に、第二の乾燥工程において、高速エア吹きつけで乾燥が促進され、シアリング転写において良好な転写効率が確保可能な乾燥率まで、溶媒が除去（乾燥）される。
【０１４９】
なお、シアリング転写に適した乾燥率は、トナー層厚、画像濃度によっても異なるが、下限値は、７５ｗｔ％程度である。また、上限は、特にトナー層厚、画像濃度に敏感で、４色ベタ画像の重なったトナー画像では、１００ｗｔ％に近い乾燥率でトナー画像にひびわれが発生する場合がある。しかしながら、比較的トナー層厚の小さな画像では、１００ｗｔ％でも十分良好な転写画像が得られる。よって、第二の乾燥工程では、エア吹きつけの風速、風量および風圧等を制御することにより、乾燥率を７５〜１００ｗｔ％の範囲に調整することが好ましい。この場合、画像のフィルム化は起こらない。
【０１５０】
よって、感光体（感光層）上やトナー画像中に含まれる溶媒（キャリア液）を、トナー画像の乱れを生じさせず、トナー画像がシアリング転写不能となるフィルム化も防止可能な、シアリング転写に適した乾燥率まで、高速で除去（乾燥）でき、高画質の画像を安定して、高速度で出力可能な湿式画像形成装置を提供できる。
【０１５１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１５２】
【図１】本発明の実施の形態（実施例１、同２、同３、および同４）が適用可能な画像形成装置の一例を示す概略図（全体模式図）。
【図２】図１に示した画像形成装置に適用される乾燥機構（実施例１）の一例を説明する概略図。
【図３】図２に示した乾燥機構による乾燥率の変化を説明するグラフ。
【図４】図３に示した乾燥率の変化と感光体ドラム上の溶媒の状態を説明する乾燥過程の模式図。
【図５】図１に示した画像形成装置に適用される乾燥機構（実施例２および実施例３）の一例を説明する概略図。
【図６】実施例２で図５に示した乾燥機構において、第一乾燥工程通過直後の感光体ドラム上の画像の乾燥状態を説明する模式図。
【図７】実施例３で図５に示した乾燥機構において、第一乾燥工程通過直後の感光体ドラム上の画像の乾燥状態を説明する模式図。
【図８】図１に示した画像形成装置に適用される乾燥機構（実施例４）の一例を説明する概略図。
【図９】図８に示した乾燥機構に組み込まれる熱ローラの構成の一例を説明する概略図。
【図１０】図１に示した画像形成装置に適用される乾燥機構（実施例５）の一例を説明する概略図。
【図１１】図１０に示した画像形成装置に組み込まれる感光体温度制御機構の構成の一例を説明する概略図。
【符号の説明】
【０１５３】
１，１０１…感光体ドラム、２（２−１〜２−４）…帯電器、３（３−１〜３−４）…レーザ露光、４（４−１〜４−４）…現像器、５…乾燥機構、５−１…第一乾燥部、５−１１…低速風ノズル、５−１２…セラミックヒータ、５−１３…遮蔽板、５−１４…熱ローラ、５−１４１…ゴム層、５−１４２…金属パイプ、５−１４３…内蔵ヒータ、５−１４４…ギャップリング、５−１４５…ベアリング、５−１４６…スクレーパ、５−１５…整流板、５−１６…ノズル、５−２…第二乾燥部、５−２１…ノズル、５−２２…フード、６−１…溶媒回収管、６−２…溶媒回収部、６−３…高温蒸気回収装置、６−４…低温蒸気回収装置、７…一次転写ローラ、８…二次転写ローラ、９…用紙、１０…感光体クリーナ、１１…色間乾燥機構、１１−１…低速風ノズル、１１−２…熱ローラ、１１−３…遮蔽板、１０１−１…支持体、１１１…感光体温度制御機構、１１１−１…流体通路、１１１−２…シャフト、１１１−３…ロータリージョイント（流入側）、１１１−４…ロータリージョイント（流出側）、１１１−５…温度コントローラ、１１１−６…流体（水）。
【図１】
2005099508.tif 000004
【図２】
2005099508.tif 000005
【図３】
2005099508.tif 000006
【図４】
2005099508.tif 000007
【図５】
2005099508.tif 000008
【図６】
2005099508.tif 000009
【図７】
2005099508.tif 000010
【図８】
2005099508.tif 000011
【図９】
2005099508.tif 000012
【図１０】
2005099508.tif 000013
【図１１】
2005099508.tif 000014